(57)【要約】【課題】ブレーキ動作が行われたことを効果的に表示することが可能なリアコンビネーションランプを提供すること。【解決手段】第１凹放物面で規定され、該第１凹放物面の頂部に相当する位置に光透過孔を有する第１光反射面と、テールランプモードのときに前記第１光反射面に対向した状態にある第２光反射面であって、その回転対称軸が前記第１凹放物面の回転対称軸に一致する第２凹放物面で規定される第２光反射面と、ストップランプモードのときに前記第１光反射面に対向した状態にある第３光反射面であって、その回転対称軸が前記第１凹放物面の回転対称軸に一致し且つその曲率半径が前記第２凹放物面の曲率半径よりも大きい第３凹放物面で規定され、前記第１光反射面と前記第２光反射面の間に形成される第３光反射面と、光出射側が前記第１光反射面に対向した状態で、前記第１凹放物面の焦点位置に配置されるＬＥＤ光源と、を備える光源ユニットを使用する。【選択図】図４
2009043488.tif 000002
【特許請求の範囲】
【請求項１】
第１凹放物面で規定され、該第１凹放物面の頂部に相当する位置に光透過孔を有する第１光反射面と、
テールランプモードのときに前記第１光反射面に対向した状態にある第２光反射面であって、その回転対称軸が前記第１凹放物面の回転対称軸に一致する第２凹放物面で規定される第２光反射面と、
ストップランプモードのときに前記第１光反射面に対向した状態にある第３光反射面であって、その回転対称軸が前記第１凹放物面の回転対称軸に一致し且つその曲率半径が前記第２凹放物面の曲率半径よりも大きい第３凹放物面で規定され、前記第１光反射面と前記第２光反射面の間に形成される第３光反射面と、
光出射側が前記第１光反射面に対向した状態で、前記第１凹放物面の焦点位置に配置されるＬＥＤ光源と、
を備える光源ユニットを具備したリアコンビネーションランプ。
【請求項２】
ストップランプモードのときには、前記第２光反射面が前記第３光反射面で遮蔽された状態であり、前記ＬＥＤ光源が出射した光の内、前記第１光反射面で反射された光は第３光反射面で反射され、
テールランプランプモードのときには、前記第３光反射面による遮蔽状態が解除されることによって前記第２光反射面が前記第１光反射面に対向した状態となり、前記ＬＥＤ光源が出射した光の内、前記第１光反射面で反射された光は第２光反射面で反射される、
請求項１に記載のリアコンビネーションランプ。
【請求項３】
ストップランプモードに切り換えられたとき、前記第２光反射面が変形してその曲率半径が大きくなることによって前記第３光反射面を形成する、請求項１に記載のリアコンビネーションランプ。
【請求項４】
テールランプモードに切り換えられたとき、前記第３光反射面が変形してその曲率半径が小さくなることによって前記第２光反射面を形成する、請求項１に記載のリアコンビネーションランプ。
【請求項５】
第３凹放物面の焦点位置が、第３凹放物面からみて第１凹放物面よりも前方にある、請求項１に記載のリアコンビネーションランプ。
【請求項６】
前記第１凹放物面の焦点が前記第３凹放物面の頂点に一致する、請求項１〜５のいずれか一項に記載のリアコンビネーションランプ。
【請求項７】
前記ＬＥＤ光源の光軸が前記第１凹放物面の頂点を通る、請求項１〜６のいずれか一項に記載のリアコンビネーションランプ。
【請求項８】
前記第１光反射面が半透過面である、請求項１〜７のいずれか一項に記載のリアコンビネーションランプ。
【請求項９】
前記ＬＥＤ光源が、レンズを有するＬＥＤランプである、請求項１〜８のいずれか一項に記載のリアコンビネーションランプ。
【請求項１０】
前記光透過孔が、前記第１凹放物面の頂点に相当する位置を中心とした円形である、請求項１〜９のいずれか一項に記載のリアコンビネーションランプ。
【請求項１１】
前記第１光反射面が、前記光透過孔に加え、１又は複数個の光透過孔を有する、請求項１〜１０のいずれか一項に記載のリアコンビネーションランプ。
【発明の詳細な説明】
【技術分野】
【０００１】
本発明は車両のリアコンビネーションランプに関する。
【背景技術】
【０００２】
一般的なリアコンビネーションランプでは、テールランプモードのときよりも高輝度の光を放射することによって、後続車両に対してブレーキ動作が行われたことを知らせる（ストップランプモード）。後続車両の運転手は、光量の違いを頼りにブレーキ動作が行われたことを認識することになる。
ところで、視界の悪い状況や、高速走行時などではランプの視認性が低下する。従って、このような場合においても確実にブレーキ動作を認識させるため、ブレーキ動作が行われたことを効果的に表示することが望まれる。
特許文献１、２には、ホログラムを利用したハイマウントストップランプが提案されている。当該ハイマウントストップランプでは、ブレーキ動作に連動してホログラム像が再生される。このようにホログラム像を表示することによって、ブレーキ動作の認識度の向上を図っている。しかしながら、当該ハイマウントストップランプは、構造が複雑であり、しかも装置の大型化を免れないという問題を抱える。
【特許文献１】特許２９６３３０２号公報
【特許文献２】特開平６−３０５３６０号公報
【発明の開示】
【発明が解決しようとする課題】
【０００３】
本発明は、ブレーキ動作が行われたことを効果的に表示することが可能なリアコンビネーションランプを提供することを課題とする。
【課題を解決するための手段】
【０００４】
上記課題を解決するため、本発明は次の構成からなる。即ち、
第１凹放物面で規定され、該第１凹放物面の頂部に相当する位置に光透過孔を有する第１光反射面と、
テールランプモードのときに前記第１光反射面に対向した状態にある第２光反射面であって、その回転対称軸が前記第１凹放物面の回転対称軸に一致する第２凹放物面で規定される第２光反射面と、
ストップランプモードのときに前記第１光反射面に対向した状態にある第３光反射面であって、その回転対称軸が前記第１凹放物面の回転対称軸に一致し且つその曲率半径が前記第２凹放物面の曲率半径よりも大きい第３凹放物面で規定され、前記第１光反射面と前記第２光反射面の間に形成される第３光反射面と、
光出射側が前記第１光反射面に対向した状態で、前記第１凹放物面の焦点位置に配置されるＬＥＤ光源と、
を備える光源ユニットを具備したリアコンビネーションランプである。
【発明の効果】
【０００５】
本発明の構成によれば、いずれの点灯モードにおいても、まずＬＥＤ光源からの光の一部が第１光反射面で反射される。ＬＥＤ光源が第１光反射面の焦点位置に配置されること及び第１光反射面の形状が凹放物面であることから、第１光反射面による反射で生じた光は平行光となる。テールランプモードのときには、当該平行光は続いて第２光反射面で反射されることになる。第２光反射面の形状も凹放物面であることから、第２光反射面による反射で生じた光は集光し、結像する。これによって、ＬＥＤ光源が虚像として浮き上がった状態で観察される。即ち、リアコンビネーションランプを正面からみれば、ＬＥＤ光源の本来の位置よりも手前側にＬＥＤ光源の虚像、即ち疑似光源が現れることになる。一方ストップランプモードのときには、第１光反射面による反射で生じた平行光が第３光反射面で反射されることになる。第３光反射面の形状も凹放物面であることから、ストップランプモードのときと同様に、第３光反射面による反射で生じた光によってＬＥＤ光源の虚像が生成する。但し、第３光放射面を規定する凹放物面の曲率半径が、第２光反射面を規定する凹放物面の曲率半径よりも大きく、しかも第３光反射面が第１光反射面と第２光反射面の間に形成される（即ち、第２光反射面よりも第３光反射面の方が第１光反射面に近い）ことから、第３光反射面による反射で生じた光は、第２光反射面による反射で生じた光の場合よりも、遠方で結像する。従って、リアコンビネーションランプを正面からみれば、テールランプモードのときよりも手前にＬＥＤ光源の虚像、即ち疑似光源が現れる（より飛び出した状態の疑似光源が観察される）。これにより、警告効果に優れた表示となる。
【発明を実施するための最良の形態】
【０００６】
本発明のリアコンビネーションランプでは、３種類の光反射面（第１光反射面、第２光反射面及び第３光反射面）の作用によって２つの発光モード（テールランプモード及びストップランプモード）を作り出す光源ユニットを使用する。光源ユニットは一つ又は２つ以上使用される。２つ以上の光源ユニットを使用する場合の配置態様は特に限定されない。
【０００７】
第１光反射面は第１凹放物面で規定される面である。つまり、第１光反射面の形状は、第１凹放物面の一部の形状（部分凹放物面）である。第１光反射面では、第１凹放物面の頂部に相当する位置に光透過孔（以下、「主光透過孔」という）が設けられている。主光透過孔からは、第１光反射面による反射及び第２光反射面による反射によって生じた光（テールモード時）、並びに第１光反射面による反射及び第３光反射面による反射によって生じた光（ストップランプモードのとき）が外部に取り出される。即ち、主光透過孔はＬＥＤ光源の虚像の生成に利用される。また、ＬＥＤ光源の光の一部は直接、主光透過孔から外部に取り出されることになる。主光透過孔の大きさは特に限定されない。主光透過孔の大きさの設定においては、そこからの光取り出し量、生成されるＬＥＤ光源の虚像（以下、「ＬＥＤ光源の虚像」のことを省略して「虚像」という）の状態などが考慮される。主光透過孔が小さすぎれば、主光透過孔を介して十分な光を取り出すことができず照明効果が減少する。また、虚像も現れにくくなる。一方、主光透過孔が大きすぎると、第１光反射面によって反射される光の量を十分に確保できず、虚像が現れにくくなる。例えば、第１光反射面全体の面積の３％〜４０％に相当する面積の主光透過孔を設ければよい。好ましくは、第１光反射面全体の面積の５％〜１０％に相当する面積の主光透過孔を設ける。
【０００８】
主光透過孔の形状も特に限定されない。主光透過孔の形状の例として円形、三角形や四角形などの多角形、星形などを挙げることができる。好ましくは第１凹放物面の頂点に相当する位置を中心とした円形状の主光透過孔とする。状態のよい虚像を生成することができ、光の取り出し率も向上するからである。
【０００９】
第１光反射面と同様に、第２光反射面及び第３光反射面も凹放物面（第２光反射面を規定する凹放物面を「第２凹放物面」といい、第３光反射面を規定する凹放物面を「第３凹放物面」という）で規定される。第２凹放物面も第３凹放物面も、その回転対称軸が第１凹放物面の回転対称軸に一致する凹放物面である。
リアコンビネーションランプがテールランプモードのときには、第２光反射面が第１光反射面に対向し、ストップランプモードのときには第３光反射面が第１光反射面に対向する。第３光反射面を規定する第３凹放物面の曲率半径は、第２光反射面を規定する第２凹放物面の曲率半径よりも大きい。また、第１光反射面と第２光反射面の間の位置に第３光反射面が形成される。このような曲率半径の関係及び位置関係を満たすことによって、第３凹放物面の反射によって生ずるＬＥＤ光源の虚像の方が、第２凹放物面による反射によって生ずるＬＥＤ光源の虚像よりも浮き上がってみえることになる。
【００１０】
各凹放物面の焦点距離は特に限定されない。但し、第３凹放物面の焦点位置が、第３凹放物面からみて第１凹放物面よりも前方（第１凹放物面を超えた位置）にあることが好ましい。かかる条件を満たす場合、第３光反射面による反射光が結像する位置は、第１光反射面と第３光反射面の間にはなく、第３光反射面からみて第１光反射面よりも前方にある。即ち、第１光反射面を越えた位置に虚像が現れる。従って、外部に飛び出した状態（換言すれば浮き上がった状態）の虚像が観察されることになり、高い警告効果が奏される。
第２凹放物面の焦点位置についても、第２凹放物面からみて第１凹放物面よりも前方（第１凹放物面を超えた位置）にあるように構成すれば、第２光反射面からみて第１光反射面よりも前方に虚像が現れる。従って、テールランプモードのときにも外部に飛び出した状態の虚像が観察されることになる。
【００１１】
第１凹放物面の焦点距離を基準（１）とした場合、第２凹放物面又は第３凹放物面の焦点距離は例えば１．２〜５、好ましくは１．５〜３である。第１凹放物面の焦点距離と第２凹放物面又は第３凹放物面の焦点距離の差が小さすぎると、虚像が浮き上がって見えるという本発明の効果を発揮し難くなり、逆に大きすぎると虚像の結像位置が遠くなるために光量不足が生じ、明瞭な虚像を得にくい。
【００１２】
一方、第１凹放物面の焦点が第３凹放物面の頂点に一致することが好ましい。後述の通り、第１凹放物面の焦点にはＬＥＤ光源が配置されるところ、当該形態によればＬＥＤ光源の位置が第３凹放物面の頂点にも一致する。これによってＬＥＤ光源と第１光反射面が適度に離間することになり、ＬＥＤ光源からの光の内、適当な量の光が第１光反射面に照射し、良好な状態の虚像の生成を促す。尚、ＬＥＤ光源は指向性の高い光を出射することから、ＬＥＤ光源が第１凹放物面に近接した位置にあれば十分量の光を第１光反射面に照射することができない。これとは逆にＬＥＤ光源が第３凹放物面の頂点位置よりも第１凹放物面から離れた位置にあれば、ＬＥＤ光源からの光の一部が第３光反射面によって遮断されるおそれがあり、光利用率が低下する。第３光反射面に光透過孔を設けることにすれば、このような第３光反射面による光の遮断を防止することができるものの、この場合には第３光反射面による反射作用が犠牲になり（第１光反射面による光反射光が入射する面積が減少する）、光利用率の低下を招く。
【００１３】
第１光反射面、第２光反射面及び第３光反射面はいずれも、鏡面反射する面であることが好ましい。反射の際の光の損失を抑えるためである。一方で鏡面であることは好ましい反射作用を生じさせ、虚像の生成を促す。
【００１４】
本発明の好ましい一形態では第１光反射面が半透過面である。「半透過面」とは反射と透過といった、相反する二つの機能を併せ持つ面をいい、ハーフミラー面とも呼ばれる。第１光反射面を半透過面とすれば、ＬＥＤ光源からの光の一部が第１光反射面を透過し、外部照射する。従って、外部からは第１光反射面部分が発光するように観察され、独特な照明効果を醸し出す。一方、第１光反射面を半透過面にすれば内部構造が外部から観察されないようにすることもできる。従って、意匠性が向上するとともに、ＬＥＤ光源の点灯時においては突如として光が現れるという意外性も演出できる。
【００１５】
半透過面は例えば所定膜厚の金属層（Ａｌ（アルミ）、Ａｇ（銀）、Ａｕ（金）又はこれらの合金などの層）によって形成される。また、金属層と光透過性の樹脂などからなる保護層とを順次積層することにより半透過面を形成することもできる。このような半透過面の形成方法の一例を示す。まずＡｌ薄膜からなる金属層を形成する。金属層はハーフミラー効果が得られるような厚さとする。例えば、金属層を光の透過率が約１５〜２０％となるような厚さとすることができる。続いて、エポキシ樹脂等の透明な樹脂を印刷、塗布等により金属層に重ねて形成し保護層とする。半透過面の構成、及び形成方法はこれに限られず公知のものをそれぞれ採用できる。また、保護層の表面、又は金属層と保護層との間などにインク層を設けることもできる。インク層は例えば黄色等の色のインクを印刷、塗布等することにより形成することができる。
【００１６】
主光透過孔（虚像の生成に利用される光透過孔）に加え、１又は複数個の光透過孔を第１光反射面に設けても良い。このような光透過孔を設ければ、そこを通ってＬＥＤ光源の光が外部に取り出され、特有の照明効果を奏する。即ち、光透過孔からＬＥＤ光源の光が効率的に取り出される結果、光透過孔部分が高輝度に発光する（第１光反射面が半透過面の場合は光透過孔部分と他の部分との間に輝度差が感得される）。
【００１７】
本発明の一形態では、ストップランプモードのときには、第２光反射面が第３光反射面で遮蔽された状態にある。従って、ＬＥＤ光源が出射した光の内、第１光反射面で反射された光は第３光反射面で反射されることになる。一方、テールランプランプモードのときには、第３光反射面による遮蔽状態が解除されることによって第２光反射面が第１光反射面に対向した状態となる。従って、ＬＥＤ光源が出射した光の内、第１光反射面で反射された光は第２光反射面で反射されることになる。このように、第２光反射面の遮蔽状態の解除（又は逆に遮蔽状態にすること）によってモードの切り換えが行われる。第２光反射面の状態の切り換えはシャッター機構やスライド機構などによって行えばよい。
【００１８】
本発明の一形態では、モードの切り換えが行われたときに第２光反射面又は第３光反射面が変形し、その曲率半径を変化させる。具体例を示すと、ストップランプモードに切り換えられたとき、第２光反射面が変形してその曲率半径が大きくなることによって第３光反射面を形成する。或いは、テールランプモードに切り換えられたとき、第３光反射面が変形してその曲率半径が小さくなることによって第２光反射面を形成する。このように、この形態においては第２光反射面と第３光反射面が一つの反射面で形成される。曲率半径を調整するための反射面の変形は例えばアクチエーターで行えばよい。
【００１９】
（ＬＥＤ光源）
本発明の照明体では光源としてＬＥＤ光源を使用する。ＬＥＤ光源は小型であること、駆動電力が小さいこと、発熱量が少ないこと、長寿命であることなど様々な利点を有する。ＬＥＤ光源の種類は特に限定されず、砲弾タイプ（レンズタイプ）、表面実装（ＳＭＤ）タイプ型、チップオンボード（ＣＯＢ）タイプ等、種々のタイプのＬＥＤ光源を採用できる。ＬＥＤ光源の発光色は任意に選択できる。
ＬＥＤチップの光の一部を蛍光体で波長変換し、ＬＥＤチップの光と蛍光とが混合した光を放射するＬＥＤ光源を使用することもできる。蛍光体は例えばＬＥＤ光源の封止樹脂に含有させることができる。封止樹脂の表面に蛍光体を含む層を設けてもよい。
同種又は異種のＬＥＤチップが複数個内蔵されたＬＥＤランプを使用することもできる。
【００２０】
ＬＥＤ光源はその光出射側が第１光反射面に対向した状態で、第１凹放物面の焦点位置に配置される。当該配置態様を採用することによってＬＥＤ光源から第１光反射面へと光が照射するとともに、第１光反射面による反射で生ずる光が平行光になる。当該平行光は次いで第２光反射面又は第３光反射面による反射を受けた後、集光して像を結ぶ。
【００２１】
好ましくは、ＬＥＤ光源の光軸が第１凹放物面の頂点を通るようにＬＥＤ光源を配置する。このようにすれば、第１凹放物面で規定される第１光反射面に対して、第１凹放物面の頂点位置を中心とした対称的な配光が行われることから、虚像の生成に有利である。
【００２２】
（導光体の使用）
本発明の一形態では３つの導光体（本発明では、「第１導光体」、「第２導光体」及び「第３導光体」と呼ぶ）を用いて第１光反射面、第２光反射面及び第３光反射面を形成する。具体的には例えば、導光体の上面又は下面に光反射層を形成し、当該光反射層を光反射面として利用する。導光体のいずれの面に反射層を形成するかは反射面毎に決定すればよい。一例を示すと、第１凹放物面に対応する凸放物面からなる上面を有する導光体（第１導光体）、第２凹放物面に対応する凸放物面からなる下面を有する導光体（第２導光体）、及び第３凹放物面に対応する凸放物面からなる下面を有する導光体（第３導光体）を用意する。そして第１導光体の上面に光反射層を形成し、これを第１光反射面とする。同様に第２導光体の下面に光反射層を形成し、これを第２光反射面とし、第３導光体の下面に光反射層を形成し、これを第３光反射面とする。第１導光体の下面に対して第３導光体の上面が対向し、且つ第３導光体の下面に対して第２導光体の上面が対向する位置関係で３つの導光体は配置される。
他の例を示すと、第１凹放物面で規定される下面を有する第１導光体を用意し、当該導光体の下面に光反射層を形成し、これを第１光反射面とする。第２光反射面及び第３光反射面については、上記の形態と同様に、対応する導光体の下面にそれぞれ形成する。
尚、本発明では、表裏の関係にある凹放物面と凸放物面を表現するために用語「対応する」を使用する。従って、特定の凹放物面に対応する凸放物面とは、当該凹放物面と表裏の関係にある凸放物面のことである。この逆も同様である。尚、対応する凹放物面と凸放物面は一の放物線で規定される（規定する放物線が一致する）。
【００２３】
以上の各例のように導光体を使用する場合、第１導光体に貫通孔を穿設し、これを主光透過孔として利用するようにしてもよい。かかる形態では、主光透過孔を通過する際に光の屈折が生じないことから、各導光体の形状を簡素化でき、設計上及び製造上好ましい。
【００２４】
導光体の材質はＬＥＤ光源の光に対して透過性であれば特に限定されない。導光体の材料としては例えば、アクリル樹脂、ポリメチルメタクリレート（PMMA）、ポリエチレンテレフタレート（PET）、ポリカーボネート樹脂、ガラス等を用いることができる。
導光体は必ずしも無色透明である必要はなく、必要な透過性が得られればよい。例えば有色透明の導光体を用いることにしてもよい。
【００２５】
第１光反射面、第２光反射面又は第３光反射面を構成する光反射層は、光反射率の高い材料の蒸着、メッキ、塗布などによって形成することができる。金属材料としてはＡｌ（アルミ）、Ａｇ（銀）、Ａｕ（金）又はこれらの合金などを用いることができる。
以下、実施例に基づき本発明をより詳細に説明する。
【実施例】
【００２６】
実施例の自動車用リアコンビネーションランプ１の正面図を図１に示す。リアコンビネーションランプ１は、テールランプ表示及びストップランプ表示を行うテール・ストップ・ランプ部２、及びターンランプ表示を行うターンランプ部３、及びバックランプ表示を行うバックランプ部４を備える。テール・ストップ・ランプ部２には合計６個の光源ユニット５が内蔵されている。また、この実施例ではターンランプ部３の光源にはアンバー色バルブが使用され、バックランプ部４の光源には白色バルブが使用される。
【００２７】
光源ユニット５を図２〜５に示す。図２は光源ユニット５の斜視図、図３は同上面図である。また、図４及び５はともに光源ユニット５の断面図（図３のＡ−Ａ線位置での断面）であるが、前者はストップランプモード時の状態を表し、後者はテールランプモード時の状態を表す。光源ユニット５は外形が円盤状であり、所定の凹放物面で規定される下面を有する第１レンズ（導光体）６、所定の凹放物面で規定される上面を有する第２レンズ（導光体）７、シャッター部８、及びＬＥＤランプ９を備える。尚、第１レンズ６の上面６ａが光源ユニット５の意匠面（正面）となる。
第１レンズ６の下面６ｂには中央部を除いて第１光反射面１０が形成されている。第１光反射面１０はハーフミラー面である。従って、ＬＥＤランプ９が非点灯状態では、第１光反射面１０が金属調に観察されるとともに、ＬＥＤランプ９が点灯した際には第１光反射面１０を通って光が外部に放射する。第１光反射面１０が形成されない、第１レンズ下面６ｂの中央部は半径ｒが６ｍｍの円形状である。当該中央部は光透過孔１１として利用され、その面積は第１光反射面１０の形成領域の面積の約１／６０である。尚、第１レンズ６の半径Ｒは約４５ｍｍである。
【００２８】
第２レンズ７では、ＬＥＤランプ９を収容するために中央部に所定径の孔１２が設けられている。また、第２レンズ７の上面７ａには光反射処理（この例ではアルミ蒸着）が施されており、反射面（第２光反射面１３）を形成する。
【００２９】
シャッター部８は６枚の可動片１４と３枚の固定片１５からなる（図４及び６を参照）。各可動片１４は所定の凹放物面で規定される上面を有する。各可動片１４の上面には光反射処理（この例ではアルミ蒸着）が施されている。可動片１４はシャッター機構によって回動し、二つの状態をとる。即ち、テールランプモード時には各可動片１４は隣接する固定片１５の下に収納されている（図６（ａ））。その結果、固定片１５の間に第２光反射面１３がみえる。ストップランプモード時には、可動片１４が回動して露出し（図６（ｂ））、固定片１５を間に挟むように、凹放物面で規定される反射面（第３光反射面１６）が現れる。この第３光反射面１６は第１光反射面１０と第３光反射面１３の間に位置する。
【００３０】
以下、説明の便宜上、第１光反射面１０を規定する凹放物面を第１凹放物面と呼び、第２光反射面１３を規定する凹放物面を第２凹放物面と呼び、第３光反射面１６を規定する凹放物面を第３凹放物面と呼ぶ。第１凹放物面は式ｙ＝−ａｘ２で表され、焦点距離ｌ１（図４）が約２９ｍｍの凹放物面である。一方、第２凹放物面は式ｙ＝ａｘ２で表され、で表され、焦点距離ｌ２が約２９ｍｍの凹放物面である。また、第３凹放物面は、第２凹放物面の曲率半径よりも大きな曲率半径を有する。第３凹放物面は、式ｙ＝ｂｘ２−１／（４ａ）で表され、その焦点距離ｌ３は約３６ｍｍである。このように各凹放物面の焦点距離の関係はｌ１＝ｌ２＜ｌ３である。
この実施例では、第１光反射面１０を規定する第１凹放物面の焦点位置と、第３光反射面１６を規定する第３凹放物面の頂点位置が一致する。従って、第１凹放物面と第３凹放物面は共通の回転対称軸（図４の符号Ａ）を有する。この回転対称軸は第２凹放物面の回転対称軸でもある。
【００３１】
ＬＥＤランプ９は赤色ＬＥＤチップを内蔵した、レンズ型ＬＥＤランプである。ＬＥＤランプ９は、第１光反射面１０を規定する第１凹放物面の焦点位置に配置される。ここで、上記の通り第１凹放物面の焦点位置と第３凹放物面の頂点位置は一致する。従って、ＬＥＤランプ９の位置は第１凹放物面の焦点位置であり、且つ第３凹放物面の頂点位置である。
一方、ＬＥＤランプ９の光軸は第１レンズ６の頂点を通り、第１〜第３凹放物面の回転対称軸に一致する。ＬＥＤランプ９は外部電源（バッテリーなど）に接続される（図示せず）。ＬＥＤランプ９には点灯状態を制御する制御回路も接続される（図示せず）。
【００３２】
続いて光源ユニット５の発光態様を説明する。まず、ＬＥＤランプ９が非点灯状態のときに光源ユニット５を正面からみると、ハーフミラー面である第１光反射面１０の作用によって、光透過孔１１部分を除き金属調で視認される。
テールランプモード（図５を参照）になると、ＬＥＤランプ９が給電を受けて発光し、直上方向（光軸方向）に出射した光は光透過孔１１を通って外部に放射する。この放射光はＬＥＤランプ９の虚像の生成にも利用される。一方、ＬＥＤランプ９から斜め上方に出射した光は、第１レンズ下面６ｂに形成された第１光反射面１０でその一部が反射される。反射光は平行光となって下方へと進行し、第２光反射面１３により反射される。その結果生じた光が光透過孔１１を通って外部に放射し、そして集光することで像を結ぶ。即ちＬＥＤランプ９の虚像を生成する。これによって、ＬＥＤランプ９が虚像として浮き上がった状態で観察される。換言すれば、光源ユニット５から所定距離置いた位置に疑似発光点が生ずる。一方、ＬＥＤランプ９から斜め上方に出射した光の内の一部は第１光反射面１０を透過して外部に放射する。これによって、第１レンズ６の上面６ａがほぼ全体に亘って発光した状態となる。
【００３３】
ストップランプモード（図４）では上記の通り第３光反射面１６が形成されるとともに、ＬＥＤランプ９が高輝度で発光する。そして、テールランプモードのときと同様に、ＬＥＤランプ９から直上方向に出射した光が光透過孔１１を通って外部に放射する。一方、ＬＥＤランプ９から斜め上方に出射した光が第１光反射面１０で反射されることによって生じた平行光は第３光反射面１６で反射される。この結果生じた反射光は集光し、虚像を生成する。ここで、第３光反射面１６を規定する凹放物面の曲率半径は、第２光反射面１３を規定する凹放物面の曲率半径よりも大きい。しかも第３光反射面１６が第１光反射面１０と第２光反射面１３の間に形成されることから、第３光反射面１６による反射で生じた光は、第２光反射面１３による反射で生じた光の場合よりも遠方で結像する。従って、テールランプモードのときよりも手前にＬＥＤランプ９の虚像、即ち疑似光源が現れることになる。しかもテールランプモードのときよりも高輝度の光が生じる。その結果、ストップランプ表示として好ましい、高い警告効果が奏されることになる。尚、ストップランプモードのときにも、一部の光は第１光反射面１０を透過して外部放射することになり、第１レンズ６の上面６ａがほぼ全体に亘って比較的高輝度で発光した状態となる。
【００３４】
ところで、光源ユニット５では、第１光反射面１０を規定する第１凹放物面の焦点位置、且つ第３光反射面１６を規定する第３凹放物面の頂点位置にＬＥＤランプ９を配置した。これによって、くっきりとした虚像の生成が可能になり、光の利用率も向上する。また、ＬＥＤランプ９の光軸が第１レンズ６の頂点を通るようにしたことから、当該頂点を中心としたバランスの良い配光が行われる。このことも虚像の生成に有利に働く。
【００３５】
テールランプモードのときの虚像の生成位置は、第１光反射面１０を規定する第１凹放物面の焦点距離と、第２光反射面１３を規定する第２凹放物面の焦点距離の関係に依存する。同様に、ストップランプモードのときの虚像の生成位置は、第１光反射面１０を規定する第１凹放物面の焦点距離と、第３光反射面１６を規定する第３凹放物面の焦点距離の関係に依存する。従って、各凹放物面の焦点距離を調整することによって、各モードにおける虚像の生成位置を任意に調整可能である。例えば、第１凹放物面の焦点距離と、第３凹放物面の焦点距離の差を大きくすれば、ストップランプモードのときに一層浮き上がった状態の虚像が生成される。
【００３６】
光源ユニット５では、可動片１４と固定片１５を組合せることによって、第３光反射面１６が形成されない状態（テールランプモード）と第３光反射面１６が形成された状態（ストップランプモード）を切り換えることにしたが、図７に一例を示すように、スライド機構により２つの状態を取り得る可動片１７によって同様の切り換えをすることにしてもよい。この例では左右に可動する２つの可動片１７を使用する。テールランプモード時（図７（ａ））には可動片１７（図示せず）による遮蔽状態が解除されており、第２光反射面１３が現れる。ストップランプモード時には２つの可動片１７が中央部で接続されることにより第３光反射面１６を形成する。尚、３つ以上の可動片を組み合わせて同様の切り換えを行うことにしてもよい。
【００３７】
光源ユニット５では、第１レンズ６の下面側に第１光反射面１０を形成したが、第１光反射面１０の形成位置はこれに限られるものではない。即ち、第１レンズ６の上面側に第１光反射面１０を形成することにしてもよい。その場合には、所定の凹放物面（第１凹放物面）に対応する凸放物面で規定された上面を有するレンズを用いる。第２光反射面１３及び第３光反射面１６の形成位置も同様にレンズの上面、下面いずれの側であってもよい。
【００３８】
図８に、第２光反射面と第３光反射面を共通化した例を示す。この例では、第２レンズ７の上面側に光反射面１８が形成される。アクチエーターによって第２レンズ７を変形することによって、光反射面１８の曲率半径が大きくなるストップランプモード（図の実線）と、光反射面１８の曲率半径が小さくなるテールランプモード（図の点線）の切り換えが行われる。
【００３９】
光源ユニット５では第１レンズ６の平面視形状は円であるが、これに限るものではない。例えば、星形や花びら形等の平面視形状を有する第１レンズを採用することができる。
【００４０】
第１レンズ下面６ｂにおいて光反射層を形成する領域の位置、面積、形状など、及び第１レンズ６の中央部に設けられる光透過孔１１の面積、形状などは、所望の虚像が生成される限りにおいて特に限定されない。
【００４１】
虚像の生成に利用される光透過孔１１以外にも光透過孔を設けることにしてもよい。このようにすれば、複数の箇所から高輝度の発光が観察されることになる。
【産業上の利用可能性】
【００４２】
様々な車両（乗用車、バス、トラックなど）用のリアコンビネーションランプとして本発明を適用することができる。
【００４３】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書の中で明示した論文、公開特許公報、及び特許公報などの内容は、その全ての内容を援用によって引用することとする。
【００４４】
次の事項を開示する。
（１）前記第１光反射面が、前記第１凹放物面に対応する凸放物面からなる上面を有する第１導光体の該上面に形成された光反射層からなり、
前記第２光反射面が、前記第２凹放物面に対応する凸放物面からなる下面を有する第２導光体の該下面に形成された光反射層からなる、請求項１〜１１のいずれかに記載のリアコンビネーションランプ。
（２）前記第１光反射面が、前記第１凹放物面で規定される下面を有する第１導光体の該下面に形成された光反射層からなり、
前記第２光反射面が、前記第２凹放物面に対応する凸放物面からなる下面を有する第２導光体の該下面に形成された光反射層からなる、請求項１〜１１のいずれかに記載のリアコンビネーションランプ。
（３）前記第１光反射面が、前記第１凹放物面に対応する凸放物面からなる上面を有する第１導光体の該上面に形成された光反射層からなり、
前記第２光反射面が、前記第２凹放物面で規定される上面を有する第２導光体の該上面に形成された光反射層からなる、請求項１〜１１のいずれかに記載のリアコンビネーションランプ。
（４）前記第１光反射面が、前記第１凹放物面で規定される下面を有する第１導光体の該下面に形成された光反射層からなり、
前記第２光反射面が、前記第２凹放物面で規定される上面を有する第２導光体の該上面に形成された光反射層からなる、請求項１〜１１のいずれかに記載のリアコンビネーションランプ。
（５）前記光透過孔が、前記第１凹放物面の頂点に相当する位置を中心とした円形である、請求項１〜１１及び（１）〜（４）のいずれか一項に記載のリアコンビネーションランプ。
（６）前記第１光反射面が、前記光透過孔に加え、１又は複数個の光透過孔を有する、請求項１〜１１及び（１）〜（５）のいずれか一項に記載のリアコンビネーションランプ。
【図面の簡単な説明】
【００４５】
【図１】実施例のリアコンビネーションランプ１の上面図。
【図２】リアコンビネーションランプ１に使用される光源ユニット５の斜視図。
【図３】光源ユニット５の上面図。
【図４】光源ユニット５の断面図（ストップランプモード時）。
【図５】光源ユニット５の断面図（テールランプモード時）。
【図６】光源ユニット５のシャッター部８の動作を説明する図。（ａ）はテールランプモード時。（ｂ）はストップランプモード時。
【図７】シャッター部８の他の例。（ａ）はテールランプモード時。（ｂ）はストップランプモード時。
【図８】光源ユニットの他の例を示す断面図。
【符号の説明】
【００４６】
１  リアコンビネーションランプ
２  テール・ストップ・ランプ部
３  ターンランプ部
４  バックランプ部
５  光源ユニット
６  第１レンズ
７  第２レンズ
８  シャッター部
９  ＬＥＤランプ
１０  第１光反射面
１１  光透過孔
１２  孔
１３  第２光反射面
１４、１７  可動片
１５  固定片
１６  第３光反射面
１８  光反射面
【図１】
2009043488.tif 000003
【図２】
2009043488.tif 000004
【図３】
2009043488.tif 000005
【図４】
2009043488.tif 000006
【図５】
2009043488.tif 000007
【図６】
2009043488.tif 000008
【図７】
2009043488.tif 000009
【図８】
2009043488.tif 000010